(57)【要約】【課題】碍子連である耐張碍子の両端にかかるテンションを除去した場合にも耐張碍子の長さ寸法を短くさせず、これによって耐張碍子の新設やメンテナンスに際しての作業性を向上させること。【解決手段】中実状の陶器棒１１ａを複数個連結した耐張碍子１１（碍子連）を収納するハウジング１０１に耐張碍子１１を嵌合させて両端にテンションが掛けられたときの形状のまま形態保持する形態保持部を設けた碍子連用形状保持具を用意し、耐張碍子１１を形態保持部に嵌合させて形態保持し（形態保持工程）、耐張碍子１１を介して鉄塔に支持させる送電線３をワイヤロープ２０２で引っ張り鉄塔に近づけ（呼び込み工程）、形態保持されている耐張碍子１１で鉄塔と送電線３とを接続し（接続工程）、耐張碍子１１から碍子連用形態保持具を取り外し（形態保持解除工程）、送電線３をワイヤロープ２０２で引っ張る装置を取り除くようにした（現状復帰工程）。【選択図】図１０
2014193068.tif 000002
【特許請求の範囲】
【請求項１】
中実状の陶器棒を複数個連結した碍子連を両端の接続部を残して収納するハウジングと、
前記碍子連を嵌合させて両端にテンションが掛けられたときの形状のまま形態保持する前記ハウジング内に設けられた形態保持部と、
を備えることを特徴とする碍子連用形態保持具。
【請求項２】
前記碍子連を前記陶器棒の半径領域のみ嵌合させる前記形態保持部を備える半割ハウジングを一対設け、これらの半割ハウジングを接合させて前記碍子連を形態保持する、ことを特徴とする請求項１に記載の碍子連用形態保持具。
【請求項３】
接合させた一対の前記半割ハウジングの周囲を固縛し止める緊縛部材を通すための緊縛部材通しを前記ハウジングの外面に備える、ことを特徴とする請求項２に記載の碍子連用形態保持具。
【請求項４】
前記緊縛部材通しを前記ハウジングの両側部に配置した、ことを特徴とする請求項３に記載の碍子連用形態保持具。
【請求項５】
中実状の陶器棒を複数個連結した耐張碍子を両端の接続部を残して収納するハウジングと、前記耐張碍子を嵌合させて両端にテンションが掛けられたときの形状のまま形態保持する前記ハウジング内に設けられた形態保持部と、を備える碍子連用形態保持具を用いて、前記耐張碍子を前記形態保持部に嵌合させて形態保持する形態保持工程と、
前記耐張碍子を介して支持体に支持させる電線を紐状部材で引っ張り前記支持体に近づける呼び込み工程と、
形態保持されている前記耐張碍子で前記支持体と前記電線とを接続する接続工程と、
前記耐張碍子から前記碍子連用形態保持具を取り外す形態保持解除工程と、
前記電線を前記紐状部材で引っ張る装置を取り除く現状復帰工程と、
を備えることを特徴とする耐張碍子の装着方法。
【請求項６】
前記耐張碍子は、当該耐張碍子にアーキングホーンを含む架線金具を取り付けて組み立てた碍子装置として取り扱われる、ことを特徴とする請求項５に記載の耐張碍子の装着方法。
【請求項７】
中実状の陶器棒を複数個連結した耐張碍子を両端の接続部を残して収納するハウジングと、前記耐張碍子を嵌合させて両端にテンションが掛けられたときの形状のまま形態保持する前記ハウジング内に設けられた形態保持部と、を備える碍子連用形態保持具を用いて、電線を支持している使用中の前記耐張碍子を前記形態保持部に嵌合させて形態保持する第１の形態保持工程と、
前記使用中の耐張碍子が支持している前記電線を紐状部材で引っ張り当該使用中の耐張碍子からテンションを除去するテンション除去工程と、
前記碍子連用形態保持具で形態保持した前記使用中の耐張碍子を支持体及び前記電線から取り外す取り外し工程と、
を備えることを特徴とする耐張碍子の取り扱い方法。
【請求項８】
新たな前記耐張碍子を前記形態保持部に嵌合させて形態保持する第２の形態保持工程と、
形態保持されている前記新たな耐張碍子で前記支持体と前記電線とを接続する接続工程と、
前記新たな耐張碍子から前記碍子連用形態保持具を取り外す形態保持解除工程と、
前記電線を前記紐状部材で引っ張る装置を取り除く現状復帰工程と、
を備えることを特徴とする請求項７に記載の耐張碍子の取り扱い方法。
【請求項９】
前記陶器棒の半径領域のみ嵌合させる前記形態保持部を備える一対の半割ハウジングを接合させて一対の前記形態保持部に嵌合させて形態保持した前記耐張碍子を前記ハウジングに収納する収納工程と、
前記ハウジングの外面に備える緊縛部材通しに通した緊縛部材で接合させた一対の前記半割ハウジングの周囲を固縛し止める止め工程と、
を備えることを特徴とする請求項６ないし８に記載の耐張碍子の取り扱い方法。
【請求項１０】
前記ハウジングの両側部に配置した前記緊縛部材通しに通した前記緊縛部材にフックを取り付けるフック装着工程と、
前記電線を引っ張る前記紐状部材に前記緊縛部材に取り付けた前記フックを引っ掛けて前記ハウジングに収納した前記耐張碍子を前記紐状部材に支持させる支持工程と、
を備えることを特徴とする請求項９に記載の耐張碍子の取り扱い方法。
【請求項１１】
前記耐張碍子は、当該耐張碍子にアーキングホーンを含む架線金具を取り付けて組み立てた碍子装置として取り扱われる、ことを特徴とする請求項６ないし１０のいずれか一に記載の耐張碍子の取り扱い方法。
【発明の詳細な説明】
【技術分野】
【０００１】
本発明は、碍子連を形態保持するための碍子連用形態保持具、並びにこれを用いた耐張碍子の装着方法及び耐張碍子の取り扱い方法に関する。
【背景技術】
【０００２】
鉄塔（支持体）に送電線（電線）を支持させる器具として中実状の陶器棒を複数個連結した碍子連である耐張碍子が広く用いられている。耐張碍子は、支持金具を介して一端側の接続部を鉄塔に取り付けられ、別の一端端側の接続部は支持金具を介して送電線をクランプして固定するクランプに接続される（図１、図２、図１０（ａ），（ｂ）参照）。
【０００３】
耐張碍子を用いた送電線の支持については、例えば特許文献１に記載がある（段落０００２、図１１参照）。
【先行技術文献】
【特許文献】
【０００４】
【特許文献１】特開２００１−１５５５６８号公報
【発明の概要】
【発明が解決しようとする課題】
【０００５】
碍子連をなす耐張碍子の全部又はその一部の陶器棒を交換するに際しては、耐張碍子が支持している送電線を鉄塔の側に呼び込み、耐張碍子にかかっているテンションを除去する必要がある。
【０００６】
この状態で耐張碍子を取り外し、その全部又はその一部の陶器棒を交換するわけであるが、耐張碍子は両端のテンションを除去されると真ん中が垂下した弓形形状に弛む（図１０（ｂ）参照）。したがって支持金具に接続する耐張碍子の両端間の長さ寸法は、耐張碍子の本来的な姿勢、つまり鉄塔と送電線との間でテンションをかけられているときの姿勢での長さ寸法に比べて短くなる。このため弓形形状に撓んだ状態のままの耐張碍子を取り外したり装着したりすることが困難になる。そこで従来、耐張碍子を取り外したり装着したりするに際しては、作業対象となる耐張碍子を送電線にぶら下げてその長さを本来的な姿勢での長さに維持させる工夫が必要となる。
【０００７】
ところが耐張碍子は一つの陶器棒が５ｋｇ程度にもなるような重量物である。このため耐張碍子を送電線にぶら下げる作業は容易でない。したがって作業性が悪いという問題がある。
【０００８】
本発明はこのような点に鑑みなされたもので、碍子連である耐張碍子の両端にかかるテンションを除去した場合にも耐張碍子の長さ寸法を短くさせず、これによって耐張碍子の新設やメンテナンスに際しての作業性を向上させることを目的とする。
【課題を解決するための手段】
【０００９】
本発明の碍子連用形態保持具は、中実状の陶器棒を複数個連結した碍子連を両端の接続部を残して収納するハウジングと、前記碍子連を嵌合させて両端にテンションが掛けられたときの形状のまま形態保持する前記ハウジング内に設けられた形態保持部と、を備えることによって上記課題を解決した。
【００１０】
本発明の耐張碍子の装着方法は、中実状の陶器棒を複数個連結した耐張碍子を両端の接続部を残して収納するハウジングと、前記耐張碍子を嵌合させて両端にテンションが掛けられたときの形状のまま形態保持する前記ハウジング内に設けられた形態保持部と、を備える碍子連用形態保持具を用いて、前記耐張碍子を前記形態保持部に嵌合させて形態保持する形態保持工程と、前記耐張碍子を介して支持体に支持させる電線を紐状部材で引っ張り前記支持体に近づける呼び込み工程と、形態保持されている前記耐張碍子で前記支持体と前記電線とを接続する接続工程と、前記耐張碍子から前記碍子連用形態保持具を取り外す形態保持解除工程と、前記電線を前記紐状部材で引っ張る装置を取り除く現状復帰工程と、を備えることによって上記課題を解決した。
【００１１】
本発明の耐張碍子の取り扱い方法は、中実状の陶器棒を複数個連結した耐張碍子を両端の接続部を残して収納するハウジングと、前記耐張碍子を嵌合させて両端にテンションが掛けられたときの形状のまま形態保持する前記ハウジング内に設けられた形態保持部と、を備える碍子連用形態保持具を用いて、電線を支持している使用中の前記耐張碍子を前記形態保持部に嵌合させて形態保持する第１の形態保持工程と、前記使用中の耐張碍子が支持している前記電線を紐状部材で引っ張り当該使用中の耐張碍子からテンションを除去するテンション除去工程と、前記碍子連用形態保持具で形態保持した前記使用中の耐張碍子を支持体及び前記電線から取り外す取り外し工程と、を備えることによって上記課題を解決した。
【発明の効果】
【００１２】
本発明によれば、形状保持部によって碍子連（耐張碍子）を両端にテンションが掛けられたときの形状のまま形状保持するようにしたので、耐張碍子の両端にかかるテンションを除去した際に耐張碍子の長さ寸法が短くなるという不都合の発生を防止することができ、したがって耐張碍子の新設やメンテナンスに際しての作業性を良好にすることができる。また運搬時に耐張碍子を保護することができる。
【図面の簡単な説明】
【００１３】
【図１】鉄塔に取り付けられている耐張碍子が送電線を支持している状態を示す正面図。
【図２】鉄塔と送電線との間に介在している耐張碍子を示す正面図。
【図３】第１及び第２の実施の形態を示す碍子連用形態保持具の平面図。
【図４】第２の実施の形態を示す一対の半割ハウジングが対面している状態の正面図。
【図５】第２の実施の形態の碍子連用形態保持具の側面図。
【図６】第３の実施の形態を示す一対の半割ハウジングが対面している状態の正面図。
【図７】第３の実施の形態の碍子連用形態保持具の側面図。
【図８】第４の実施の形態を示す一対の半割ハウジングが対面している状態の正面図。
【図９】第４の実施の形態の碍子連用形態保持具の側面図。
【図１０】第５〜第６の実施の形態を示す図で、（ａ）は本実施の形態の碍子連用形態保持具を用いて実行する耐張碍子の装着方法及び耐張碍子の取り扱い方法を説明するための正面図、（ｂ）は本実施の形態の碍子連用形態保持具を用いないで耐張碍子の装着及び取り扱いを実行した場合の状態を示す正面図。
【発明を実施するための形態】
【００１４】
まず耐張碍子１１の使用状態を図１及び図２に基づいて説明する。鉄塔１のアーム２に二つの耐張碍子１１の一端が取り付けられ、それぞれの耐張碍子１１はその他端側で送電線３を支持している。図１及び図２に示す耐張碍子１１は中実状の陶器棒１１ａを複数個連結した碍子連である。このような耐張碍子１１は、アーキングホーン３１を有する支持金具３２を介して一端が支持体としての鉄塔１の側に取り付けられ、別の一端側は送電線３をクランプして固定するクランプ３４にアーキングホーン３１を有する支持金具３３を介して取り付けられている。こうして耐張碍子１１は鉄塔１と送電線３との間に介在し、送電線３の重みによるテンションがかけられた状態で送電線３を支持する。二本の送電線３はクランプ３４にクランプされて固定されたジャンパー線４を介して接続している。
【００１５】
次いで実施の形態を説明する。ここでは碍子連用形態保持具の実施の形態と、耐張碍子の装着方法の実施の形態と、耐張碍子の取り扱い方法の実施の形態とに分けて紹介する。第１〜第４の実施の形態は碍子連用形態保持具の実施の形態、第５の実施の形態は耐張碍子の装着方法の実施の形態、第６の実施の形態は耐張碍子の取り扱い方法の実施の形態である。
【００１６】
≪第１の実施の形態≫
第１の実施の形態を図３に基づいて説明する。
【００１７】
図３に示すように、本実施の形態の碍子連用形態保持具は、碍子連である耐張碍子１１を両端の接続部を残して収納するハウジング１０１に形態保持部１０２を設けたものである。形態保持部１０２は耐張碍子１１を嵌合させる嵌合穴１０３を形成している。嵌合穴１０３は鉄塔１と電線である送電線３との間に装着された状態の耐張碍子１１の形状と同一の形状を有している。したがって嵌合穴１０３に嵌め込まれた耐張碍子１１は装着時の形状のまま形態保持される。本実施の形態においては、嵌合穴１０３の深さは、耐張碍子１１を全体的にすっぽりと嵌合させる深さに形成されている。
【００１８】
このような構成において、耐張碍子１１の新設時やメンテナンス時、耐張碍子１１を保持部１０２に嵌合させれば、耐張碍子１１を両端にテンションが掛けられたときの形状のまま形状保持することができる（図１０（ａ）参照）。これにより耐張碍子１１の両端にかかるテンションを除去した際に耐張碍子１１が撓んで長さ寸法が短くなる従来の不都合（図１０（ｂ）参照）の発生を確実に防止することができる。したがって耐張碍子１１の新設やメンテナンスに際しての作業性を良好にすることができる。また耐張碍子１１をハウジング１０１に収納することで、運搬時に耐張碍子１１を保護することもできる。
【００１９】
≪第２の実施の形態≫
第２の実施の形態を図３〜図５に基づいて説明する。第１の実施の形態と同一部分は同一符号で示し説明も省略する。
【００２０】
本実施の形態は、ハウジング１０１を半円筒状の一対の半割ハウジング１０１ａを接合させて形成した。一対の半割ハウジング１０１ａは共に、耐張碍子１１を陶器棒１１ａの半径領域のみ嵌合させる形態保持部１０２を備えている。そこでこれらの半割ハウジング１０１ａを接合させて固定すれば、耐張碍子１１を形態保持した状態で密閉的に収納保持することができる。
【００２１】
図５に示すように、一対の半割ハウジング１０１ａを接合状態で固定するには、接合させた一対の半割ハウジング１０１ａの周囲を緊縛部材としての結束バンド１１１で固縛し止めればよい。
【００２２】
本実施の形態によれば、両端にテンションが掛けられたときの形状のままの耐張碍子１１の形状保持性をより強固にすることができる。したがって作業時により一層の扱い易い易さが得られる。しかも耐張碍子１１をその両端の接続部を残してハウジング１０１に密閉することができるので、運搬時における耐張碍子１１の保護をより一層強化することができる。
【００２３】
≪第３の実施の形態≫
第３の実施の形態を図６及び図７に基づいて説明する。第２の実施の形態と同一部分は同一符号で示し説明も省略する。
【００２４】
本実施の形態は、接合させた一対の半割ハウジング１０１ａの周囲を固縛し止める結束バンド１１１を通すための緊縛部材通しとしてのバンド通し１０４をハウジング１０１の外面に設けたものである。バンド通し１０４は下方に位置付けられる一方の半割ハウジング１０１ａの下部に二つ、上方に位置付けられるもう一方の半割ハウジング１０１ａの上部に二つ配置されている。これらのバンド通し１０４は結束バンド１１１を通すための通し孔１０５を形成している。
【００２５】
したがって図７に示すように、接合させた一対の半割ハウジング１０１ａの周囲を固縛し止める結束バンド１１１をバンド通し１０４の通し孔１０５に通すことができ、結束バンド１１１のずれや脱落を防止することができる。
【００２６】
≪第４の実施の形態≫
第４の実施の形態を図８及び図９に基づいて説明する。第３の実施の形態と同一部分は同一符号で示し説明も省略する。
【００２７】
本実施の形態は、バンド通し１０４をハウジング１０１の両側部にも配置したものである。したがってバンド通し１０４は、下方に位置付けられる一方の半割ハウジング１０１ａの下部に四つ、上方に位置付けられるもう一方の半割ハウジング１０１ａの上部に四つ配置されている。
【００２８】
図９に示すように、ハウジング１０１の両側部に配置したバンド通し１０４に通して接合させた一対の半割ハウジング１０１ａの周囲を固縛し止める結束バンド１１１には、ハウジング１０１の上部に位置させてフック１２１を取り付ける。こうすることで、耐張碍子１１の新設やメンテナンスに際して、鉄塔１の側に送電線３を呼び込むために用いる紐状部材としてのワイヤロープ２０２にフック１２１を引っ掛け、ワイヤロープ２０２に耐張碍子１１を支持させることができる。
【００２９】
≪第５の実施の形態≫
第５の実施の形態を図１０（ａ），（ｂ）に基づいて説明する。第１〜４の実施の形態と同一部分は同一符号で示し説明も省略する。
【００３０】
本実施の形態は、上記碍子連用形態保持具を用いた耐張碍子１１の装着方法である。図１０（ａ）では第４の実施の形態の碍子連用形態保持具を用いた一例を示しているが、実施に際してはこれに限らず、第１〜第３の実施の形態の碍子連用形態保持具を用いてもよい。本実施の形態の方法は、次の各工程によって実行される。
【００３１】
（１）形態保持工程
碍子連用形態保持具を用いて、耐張碍子１１を形態保持部１０２の嵌合穴１０３に嵌合させて形態保持する。より詳細には次の（サブ工程１）〜（サブ工程３）を実行する。
【００３２】
（サブ工程１）収納工程
一対の半割ハウジング１０１ａを接合させて一対の形態保持部１０２に嵌合させて形態保持した耐張碍子１１をハウジング１０１に収納する（図４〜５、図６〜図７、図８〜図９参照）。
【００３３】
（サブ工程２）止め工程
バンド通し１０４の通し孔１０５に結束バンド１１１を通し、接合した一対の半割ハウジング１０１ａの周囲を結束バンド１１１で固縛し止める（図７、図９参照）。
【００３４】
（サブ工程３）フック装着工程
ハウジング１０１の両側部に配置したバンド通し１０４の通し孔１０５に通した結束バンド１１１にフック１２１を取り付ける（図９参照）
【００３５】
（２）呼び込み工程
耐張碍子１１を介して鉄塔１に支持させる送電線３を紐状部材としてのワイヤロープ２０２で引っ張り鉄塔１に近づける。送電線３に固定具２０１を固定し、この固定具２０１に連結したワイヤロープ２０２を金車２０３でウインチなどの動力機械（図示せず）に案内し、ウインチの引っ張り力を作用させることで送電線３を鉄塔１に近づけることができる。
【００３６】
（３）接続工程
碍子連用形態保持具を用いて形態保持させた耐張碍子１１で鉄塔１と送電線３とを接続する。つまり鉄塔１のアーム２に取り付けた支持金具３２に耐張碍子１１の一端側の接続部を接続し、送電線３をクランプするクランプ３４に取り付けた支持金具３３に耐張碍子１１の別の一端側の接続部を接続する。この際、次のサブ工程１を先立って実行する。
【００３７】
（サブ工程１）支持工程
送電線３を引っ張るワイヤロープ２０２に結束バンド１１１に取り付けたフック１２１を引っ掛けてハウジング１０１に収納した耐張碍子１１をワイヤロープ２０２に支持させる。
【００３８】
接続工程に際しては、碍子連用形態保持具を用いて耐張碍子１１を形状保持しているので、耐張碍子１１を両端にテンションが掛けられたときの形状のまま形状保持することができる（図１０（ａ）参照）。これにより耐張碍子１１の両端にかかるテンションを除去した際に耐張碍子１１が撓んで長さ寸法が短くなる従来の不都合（図１０（ｂ）参照）の発生を確実に防止することができる。したがって接続工程での作業性を良好にすることができる。また接続工程中のサブ工程１（フック１２１の取り付け）の実施により、作業性をより一層良好にすることができる。
【００３９】
（４）形態保持解除工程
耐張碍子１１から碍子連用形態保持具を取り外す。
【００４０】
（５）現状復帰工程
送電線３をワイヤロープ２０２で引っ張る装置、つまりウインチなどの動力機械（図示せず）、固定具２０１、ワイヤロープ２０２、金車２０３を取り除く。
【００４１】
なお、以上の各工程においては、耐張碍子１１を、耐張碍子１１にアーキングホーン３１を含む架線金具を取り付けて組み立てた碍子装置として取り扱うようにしてもよい。
【００４２】
≪第６の実施の形態≫
第６の実施の形態を図１０（ａ），（ｂ）に基づいて説明する。第１〜４の実施の形態と同一部分は同一符号で示し説明も省略する。
【００４３】
本実施の形態は、上記碍子連用形態保持具を用いた耐張碍子１１の取り扱い方法である。図１０（ａ）では第４の実施の形態の碍子連用形態保持具を用いた一例を示しているが、実施に際してはこれに限らず、第１〜第３の実施の形態の碍子連用形態保持具を用いてもよい。本実施の形態の方法は、次の各工程によって実行される。
【００４４】
（１）第１の形態保持工程
碍子連用形態保持具を用いて、使用中の耐張碍子１１を形態保持部１０２の嵌合穴１０３に嵌合させて形態保持する。より詳細には次の（サブ工程１）及び（サブ工程２）を実行する。
【００４５】
（サブ工程１）収納工程
一対の半割ハウジング１０１ａを接合させて一対の形態保持部１０２に嵌合させて形態保持した耐張碍子１１をハウジング１０１に収納する（図４〜５、図６〜図７、図８〜図９参照）。
【００４６】
（サブ工程２）止め工程
バンド通し１０４の通し孔１０５に結束バンド１１１を通し、接合した一対の半割ハウジング１０１ａの周囲を結束バンド１１１で固縛し止める（図７、図９参照）。
【００４７】
（２）テンション除去工程
使用中の耐張碍子１１が支持している送電線３を紐状部材としてのワイヤロープ２０２で鉄塔１の方向に引っ張り、使用中の耐張碍子１１からテンションを除去する。送電線３に固定具２０１を固定し、この固定具２０１に連結したワイヤロープ２０２を金車２０３でウインチなどの動力機械（図示せず）に案内し、ウインチの引っ張り力を作用させることで送電線３を鉄塔１の方向に引っ張ることができる。
【００４８】
（３）取り外し工程
碍子連用形態保持具で形態保持した使用中の耐張碍子１１を鉄塔１及び送電線３から取り外す。つまり鉄塔１のアーム２に取り付けた支持金具３２から耐張碍子１１の一端側の接続部を取り外し、送電線３をクランプするクランプ３４に取り付けた支持金具３３から耐張碍子１１の別の一端側の接続部を取り外す。
【００４９】
取り外し工程に際しては、碍子連用形態保持具を用いて耐張碍子１１を形状保持しているので、耐張碍子１１を両端にテンションが掛けられたときの形状のまま形状保持することができる（図１０（ａ）参照）。これにより耐張碍子１１の両端にかかるテンションを除去した際に耐張碍子１１が撓んで長さ寸法が短くなる従来の不都合（図１０（ｂ）参照）の発生を確実に防止することができる。したがって取り外し工程での作業性を良好にすることができる。
【００５０】
（４）第２の形態保持工程
碍子連用形態保持具を用いて、新たな耐張碍子１１を形態保持部１０２の嵌合穴１０３に嵌合させて形態保持する。ここでいう「新たな耐張碍子１１」というのは、まったく新しい新規の耐張碍子１１の他、取り外した耐張碍子１１の一部の陶器棒１１ａを交換した耐張碍子１１も意味している。この第２の形態保持工程では、次の（サブ工程１）〜（サブ工程４）を実行する。
【００５１】
（サブ工程１）収納工程
一対の半割ハウジング１０１ａを接合させて一対の形態保持部１０２に嵌合させて形態保持した耐張碍子１１をハウジング１０１に収納する（図４〜５、図６〜図７、図８〜図９参照）。
【００５２】
（サブ工程２）止め工程
バンド通し１０４の通し孔１０５に結束バンド１１１を通し、接合した一対の半割ハウジング１０１ａの周囲を結束バンド１１１で固縛し止める（図７、図９参照）。
【００５３】
（サブ工程３）フック装着工程
ハウジング１０１の両側部に配置したバンド通し１０４の通し孔１０５に通した結束バンド１１１にフック１２１を取り付ける（図９参照）
【００５４】
（サブ工程４）支持工程
送電線３を引っ張るワイヤロープ２０２に結束バンド１１１に取り付けたフック１２１を引っ掛けてハウジング１０１に収納した耐張碍子１１をワイヤロープ２０２に支持させる。
【００５５】
（５）接続工程
碍子連用形態保持具を用いて形態保持させた耐張碍子１１で鉄塔１と送電線３とを接続する。つまり鉄塔１のアーム２に取り付けた支持金具３２に耐張碍子１１の一端側の接続部を接続し、送電線３をクランプするクランプ３４に取り付けた支持金具３３に耐張碍子１１の別の一端側の接続部を接続する。
【００５６】
接続工程に際しては、碍子連用形態保持具を用いて耐張碍子１１を形状保持しているので、耐張碍子１１を両端にテンションが掛けられたときの形状のまま形状保持することができる（図１０（ａ）参照）。これにより耐張碍子１１の両端にかかるテンションを除去した際に耐張碍子１１が撓んで長さ寸法が短くなる従来の不都合（図１０（ｂ）参照）の発生を確実に防止することができる。したがって接続工程での作業性を良好にすることができる。また第２の形態保持工程中のサブ工程４の実施（フック１２１の取り付け）により、作業性をより一層良好にすることができる。
【００５７】
（６）形態保持解除工程
耐張碍子１１から碍子連用形態保持具を取り外す。
【００５８】
（７）現状復帰工程
送電線３をワイヤロープ２０２で引っ張る装置、つまりウインチなどの動力機械（図示せず）、固定具２０１、ワイヤロープ２０２、金車２０３を取り除く。
【００５９】
なお、以上の各工程においては、耐張碍子１１を、耐張碍子１１にアーキングホーン３１を含む架線金具を取り付けて組み立てた碍子装置として取り扱うようにしてもよい。
【００６０】
≪変形例≫
本発明は上記実施の形態に限定されるものではなく、各種の変形や変更を許容する。例えば形態保持部１０２は、耐張碍子１１の損傷を防止するために耐張碍子１１に接触する部分に保護シートを敷いていてもよい。保護シートの材料としては例えば、ゴムやフェルトなどを用いることができる。
【００６１】
なお、本発明が対象とする耐張碍子１１は、鉄塔１と送電線３とを連結するもののみならず、鉄道における直流複線式電気鉄道用き線の碍子や路面電車における路面電車用き線の碍子をそれらの支持体に介在接続するものであってもよい。
【符号の説明】
【００６２】
１    支持体（鉄塔）
１１    耐張碍子（碍子連）
１１ａ  陶器棒
１０１    ハウジング
１０１ａ  半割ハウジング
１０２    形態保持部
１０４    バンド通し（緊縛部材通し）
１１１    結束バンド（緊縛部材）
【図１】
2014193068.tif 000003
【図２】
2014193068.tif 000004
【図３】
2014193068.tif 000005
【図４】
2014193068.tif 000006
【図５】
2014193068.tif 000007
【図６】
2014193068.tif 000008
【図７】
2014193068.tif 000009
【図８】
2014193068.tif 000010
【図９】
2014193068.tif 000011
【図１０】
2014193068.tif 000012